(57)【要約】  【課題】  レンズホルダにフォーカシングコイルを取り付けるときの接着剤の量を減らし、シャフトが貫通するための軸孔の真円度等の精度を高く製造することができ、それだけ、フォーカシング動作及びトラッキング動作の精度を高める。  【解決手段】  レンズ保持部２１１より突出するコイル保持部２１５と、円筒形状の軸孔２１２と、コイル保持部２１１に接着固定される磁性板２１６とを有しており、コイル保持部２１５のフォーカシングコイル２１４が外嵌する４個の角部は切りかかれ、接着剤注入部２１７が形成されている。【選択図】      図２
2006172552.tif 000002
【特許請求の範囲】
【請求項１】
光ディスクを回転させるスピンドルモータと、前記光ディスクに対してレーザ光を照射
する光ヘッドと、信号を処理するための信号処理装置と、前記光ヘッドにて検出され前記
信号処理装置にて復号化された信号を外部の映像表示部に接続するための外部接続部と、
制御部とを備える光ディスク装置であって、
前記光ヘッドは、レーザ光を照射するレーザ光源と、前記レーザ光を反射するミラーと
、前記レーザ光を平行光にするコリメータレンズと、前記レーザ光を前記光ディスクに照
射するための対物レンズと、前記光ディスクで反射した光を分光するビームスプリッタと
、光を受光し電気信号に変換する受光素子と、前記対物レンズを駆動するアクチュエータ
と、前記アクチュエータが固定されるベースとを有し、
前記アクチュエータは前記対物レンズを保持するレンズホルダと、前記レンズホルダを
内部に配置するケースと、前記ケース及び前記レンズホルダに取り付けられ電力を供給す
る配線基板とを有しており、
前記ケースは底部と、前記底部の端部より該底部に対して垂直に突出する立ち上がり部
と、前記底部の略中央に前記立ち上がり部と同じ方向に突出する円柱状のシャフトと、前
記立ち上がり部に前記シャフトを挟んで配置され前記シャフトとの間に磁界を形成する２
個の永久磁石とを有しており、
前記レンズホルダは、前記対物レンズを保持するレンズ保持部と、前記レンズ保持部の
略中央より突出し断面略矩形の柱形状で中実に形成されるコイル保持部と、前記レンズ保
持部及び前記コイル保持部を貫通するとともに前記シャフトに回動可能且つ摺動可能に外
嵌する円筒形状の軸孔と、前記コイル保持部の前記レンズ保持部と反対側に接着固定され
る磁性板と、前記軸孔を挟んで対峙し、前記レンズ保持部の側面に接着固定されるトラッ
キングコイルと、前記コイル保持部に外嵌して接着固定されるフォーカシングコイルとを
有しており、
前記コイル保持部の前記フォーカシングコイルが外嵌する４個の角部は切りかかれ、接
着剤注入部が形成されており、該接着剤注入部に接着剤を注入し硬化させることで前記フ
ォーカシングコイルを前記コイル保持部に固定することを特徴とする光ディスク装置。
【請求項２】
光ディスクを回転させるスピンドルモータと、前記光ディスクに対してレーザ光を照射
する光ヘッドと、信号を処理するための信号処理装置と、前記光ヘッドにて検出され前記
信号処理装置にて復号化された信号を外部の映像表示部に接続するための外部接続部と、
制御部とを備える光ディスク装置であって、
前記光ヘッドはレーザ光を照射するレーザ光源と、前記レーザ光を反射するミラーと、
前記レーザ光を平行光にするコリメータレンズと、前記レーザ光を前記光ディスクに照射
するための対物レンズと、前記光ディスクで反射した光を分光するビームスプリッタと、
光を受光し電気信号に変換する受光素子と、前記対物レンズを駆動するアクチュエータと
、前記アクチュエータが固定されるベースとを有し、
前記アクチュエータは前記対物レンズを保持するレンズホルダと、前記レンズホルダを
内部に配置するケースと、前記ケース及び前記レンズホルダに取り付けられ電力を供給す
る配線基板とを有しており、
前記ケースは底部と、前記底部の端部より該底部に対して垂直に突出する立ち上がり部
と、前記底部の略中央に前記立ち上がり部と同じ方向に突出する円柱状のシャフトと、前
記立ち上がり部に前記シャフトを挟んで配置され前記シャフトとの間に磁界を形成する２
個の永久磁石とを有しており、
前記レンズホルダは、前記対物レンズを保持するレンズ保持部と、前記レンズ保持部の
略中央に形成される矩形状の貫通孔と該貫通孔を取り囲むように形成される壁面部とを有
するコイル保持部と、前記矩形状の貫通孔及び前記コイル保持部の中央の空間に配置され
前記シャフトに回動可能且つ騒動可能に外嵌することができる円筒形状の軸孔と、前記壁
面部の四隅に接続し前記円筒形状の軸孔と接続することで該軸孔を固定するリブ部と、前
記コイル保持部の前記レンズ保持部と反対側に接着固定される磁性板と、前記レンズ保持
部の側面に接着固定されるトラッキングコイルと、前記コイル保持部に外嵌して接着固定
されるフォーカシングコイルとを有しており、
前記フォーカシングコイルは前記コイル保持部に外嵌することで該フォーカシングコイ
ルを該コイル保持部に設置固定することを特徴とする光ディスク装置。
【請求項３】
底部と、前記底部の端部より該底部に対して垂直に突出する立ち上がり部と、前記底部
の略中央に前記立ち上がり部と同じ方向に突出する円柱状のシャフトと、前記立ち上がり
部に前記シャフトを挟んで配置され前記シャフトとの間に磁界を形成する永久磁石とを有
するケースと、
対物レンズを保持するレンズ保持部と、前記レンズ保持部の略中央より突出し断面略矩
形の柱形状で中実に形成されるコイル保持部と、前記コイル保持部の略中央より突出し前
記レンズ保持部及び前記コイル保持部を貫通するとともに前記シャフトに回動可能且つ摺
動可能に外嵌する円筒形状の軸孔と、前記コイル保持部の前記レンズ保持部と反対側に接
着固定される磁性板と、前記コイル保持部に外嵌して接着固定されるフォーカシングコイ
ルとを有するレンズホルダと、
前記ケース及び前記レンズホルダに取り付けられ、前記フォーカシングコイルに電力を
供給する配線基板とを有しており、
前記コイル保持部の前記フォーカシングコイルが外嵌する角部のうち少なくとも１箇所
は切りかかれ、接着剤注入部が形成されており、該接着剤注入部に接着剤を注入し硬化さ
せることで前記フォーカシングコイルを前記コイル保持部に固定することを特徴とする光
ヘッド。
【請求項４】
底部と、前記底部の端部より該底部に対して垂直に突出する立ち上がり部と、前記底部
の略中央に前記立ち上がり部と同じ方向に突出する円柱状のシャフトと、前記立ち上がり
部に前記シャフトを挟んで配置され前記シャフトとの間に磁界を形成する永久磁石とを有
するケースと、
対物レンズを保持するレンズ保持部と、前記レンズ保持部の略中央に形成される矩形状
の貫通孔と該貫通孔を取り囲むように形成される壁面部とを有するコイル保持部と、前記
矩形状の貫通孔及び前記コイル保持部の中央の空間に配置され前記シャフトに回動可能且
つ騒動可能に外嵌することができる円筒形状の軸孔と、前記壁面部の四隅に接続し前記円
筒形状の軸孔と接続することで該軸孔を固定するリブ部と、前記コイル保持部の前記レン
ズ保持部と反対側に接着固定される磁性板と、前記コイル保持部に外嵌して接着固定され
るフォーカシングコイルとを有するレンズホルダと、
前記ケース及び前記レンズホルダに取り付けられ、前記フォーカシングコイルに電力を
供給する配線基板とを有しており、
前記フォーカシングコイルを前記コイル保持部に外嵌することで該フォーカシングコイ
ルを該コイル保持部に設置固定することを特徴とする光ヘッド。
【請求項５】
対物レンズを保持するレンズ保持部と、前記レンズ保持部の略中央より突出し断面略矩
形の柱形状で中実に形成されるコイル保持部と、前記コイル保持部の略中央より突出し前
記レンズ保持部及び前記コイル保持部を貫通するとともに前記シャフトに回動可能且つ摺
動可能に外嵌する円筒形状の軸孔と、前記コイル保持部に外嵌して接着固定されるフォー
カシングコイルとを有するレンズホルダを有し、
前記コイル保持部の前記フォーカシングコイルが外嵌する角部のうち少なくとも１箇所
は切りかかれ、接着剤注入部が形成されており、該接着剤注入部に接着剤を注入し硬化さ
せることで前記フォーカシングコイルを前記コイル保持部に固定することを特徴とする光
ヘッド。
【請求項６】
対物レンズを保持するレンズ保持部と、矩形状に壁面部を配置したコイル保持部と、前
記矩形状の壁面部の中央の空間に配置され前記シャフトに回動可能且つ騒動可能に外嵌す
ることができる円筒形状の軸孔と、前記壁面部及び前記円筒形状の軸孔と接続することで
該軸孔を固定支持するリブ部と、前記コイル保持部に外嵌して接着固定されるフォーカシ
ングコイルとを有するレンズホルダを有しており、
前記フォーカシングコイルを前記コイル保持部に外嵌することで該フォーカシングコイ
ルを該コイル保持部に設置固定することを特徴とする光ヘッド。
【請求項７】
前記壁面部にて囲まれる矩形部はレンズ保持部を貫通していることを特徴とする請求項
６に記載の光ヘッド。
【発明の詳細な説明】
【技術分野】
【０００１】
本発明は、光ディスクにレーザ光を照射することでデータの記録及び（又は）読出しを
行うことができる光ディスク装置に関するものであり、特に前記光ディスクにレーザ光を
照射する光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、ミラーＭｒと、コリメータレンズ３と、対物レンズ４と、ビ
ームスプリッタＢｓと、受光素子Ｐｄとを有している。レーザ光源Ｌｄより照射されたレ
ーザ光はミラーＭｒで反射されてコリメータレンズ３に入射する。コリメータレンズ３に
入射したレーザ光は平行光として出射され対物レンズ４に入射する。対物レンズ４に入射
したレーザ光は光ディスクＤｓの記録面に照射される。対物レンズ４はアクチュエータ９
２に配置されている。
【０００４】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。光ディスクにデータを記録することので
きる光ヘッドも基本的に同様の構成である。
【０００５】
光ディスクＤｓはディスク面のぶれ、光ディスクＤｓの偏心等によって、光ディスクＤ
ｓのディスク面が水平面に対して振動する面ぶれや、半径方向のぶれが発生する。面ぶれ
及び半径方向のブレが発生すると、対物レンズ４から照射されるレーザ光を集光した光ス
ポットの焦点が光ディスクＤｓの記録面上に合わなかったり、記録面のトラックに正確に
照射されない等の不具合が発生したりする。以上のような不具合が発生すると、光スポッ
トが正確な位置に照射されていないときは光ディスクＤｓからのデータの読出し又は光デ
ィスクＤｓへの記録が行われず、再生中の音声が途切れたり、データの読出し、記録ミス
が発生したりする。
【０００６】
そこで、対物レンズ４を光ディスクＤｓの面ぶれ量にあわせて、光スポットの焦点が光
ディスクＤｓの記録面に合うように光ディスクＤｓの記録面に対して垂直なフォーカス方
向に移動（フォーカシング）させたり、光ディスクＤｓの光スポットが記録面のトラック
に正確に照射されるように半径方向であるトラッキング方向に必要に応じて移動（トラッ
キング）させたりする。
【０００７】
図１０に従来の光ヘッドのアクチュエータの一例の平面図を示す。図１０に示すアクチ
ュエータ９２は、対物レンズ４と対物レンズ４を保持するレンズホルダ９３と、レンズホ
ルダ９３を支持するケース９４と、電力を供給する基板９５とを有している。
【０００８】
図１１に図１０に示すレンズホルダの底面図を示す。レンズホルダ９３は、対物レンズ
４を保持するレンズ保持部９３１と、ケース９４に設けられた後述のシャフト９４３と摺
動及び回動可能に外嵌する軸孔９３２と、軸孔９３２の外壁にはレンズホルダ９３の本体
から伸びる複数個（ここでは４個）の軸孔９３２を支持するためのリブ９３３と、レンズ
ホルダ９３にはレンズホルダ９３をシャフト９４３を中心に揺動させるためのトラッキン
グコイル９３４と、レンズホルダ９３をシャフト９４３に沿って摺動させるためのフォー
カシングコイル９３５と、中央部を軸孔９３２が貫通する磁性板９３６が取り付けられる
。
【０００９】
フォーカシングコイル９３５は軸孔９３２の周囲を取り囲むように配置されるものであ
り、リブ９３３の先端が四隅になるように矩形状に巻きつけられている。リブ９３３に配
置されたフォーカシングコイル９３５をレンズホルダ９３に固定するときに、フォーカシ
ングコイル９３５、リブ９３３及び軸孔９３２の外壁で囲まれた部分９３０に接着剤（そ
れには限定されないが、ここでは、熱硬化性を有する接着剤）を注入する。その後、フォ
ーカシングコイル９３５に接するように磁性板９３６を配置してさらに接着剤を注入し加
熱して硬化する。接着剤は、フォーカシングコイル９３５及び磁性板９３６を固定する以
外にも、軸孔９３２の周りの強度を高めることも可能である。
【００１０】
ケース９４は平面視矩形状の底面９４１と、底面９４１の４辺から立ち上がる立ち上が
り壁９４２と、底面９４１からケース９４の内部に向かって突出するシャフト９４３と、
シャフト９４３を挟んで立ち上がり壁９４２に正対して配置される永久磁石９４４とを有
している。シャフト９４３は磁性体で形成されている。永久磁石９４４とシャフト９４３
の間には磁界が発生している。
【００１１】
ケース９４のシャフト９４３がレンズホルダ９３の軸孔９３２を回動可能及び摺動可能
に嵌合するようにケース９４内部に配置する。このとき、永久磁石９４４とシャフト９４
３の間に発生する磁界内にレンズホルダ９３の磁性板９３６が配置される。磁性板９３６
が磁界内に配置されることで、磁性板９３６に磁気力が付与する。レンズホルダ９３は磁
性板９３６に付与する磁気力によってケース９４の底面９４１に接触せずに支持される。
【００１２】
また、永久磁石９４４とシャフト９４３の間の磁界にトラッキングコイル９３４及びフ
ォーカシングコイル９３５が配置されている。トラッキングコイル９３４に電流を流すこ
とで、トラッキングコイル９３４にローレンツ力が発生する。このローレンツ力によって
、レンズホルダ９３はシャフト９４３を中心に揺動される。また、フォーカシングコイル
９３５に電流を流すことで、フォーカシングコイル９３５にローレンツ力が発生する。こ
のローレンツ力によって、レンズホルダ９３はシャフト９４３の軸方向に摺動する。
【００１３】
軸孔９３２はシャフト９４３に外嵌し回動（トラッキング）及び（又は）摺動（フォー
カシング）するので、トラッキング及びフォーカシング動作を高精度に保つには軸孔９３
２の内周精度を高めるように製造する必要がある。特開2003-248944号公報に記載の発明
は、軸孔の壁体の厚みを調整して一体成形時の軸孔のひけ、ウェルド等の欠陥の発生を抑
制するものである。特開平10-143888号公報に記載の発明は、軸孔に少なくとも２個の摺
動隙間設定部部材を備えて、摺動面の摺動抵抗を低減するものである。
【特許文献１】特開２００３−２４８９４４号公報
【特許文献２】特開平１０−１４３８８８号公報
【発明の開示】
【発明が解決しようとする課題】
【００１４】
軸孔９３２の周りにフォーカシングコイル９３５を配置し接着剤を注入して接着するも
のの場合、接着剤で軸孔９３２の強度を確保しているので、多量の接着剤を注入しており
、接着剤は硬化するときに少なからず収縮する。接着剤の硬化、収縮によって軸孔９３２
及びフォーカシングコイル９３５に応力が付与される。
【００１５】
接着剤が硬化するときの応力によって、軸孔９３２及びフォーカシングコイル９３５は
変形する。このとき、接着剤はその注入量が多いので均一に硬化せず、不均一に硬化する
。この接着剤の不均一な硬化によって、軸孔９３２に付与する接着剤硬化時の応力も不均
一になりの真円度等の精度が低下する。軸孔９３２の精度が低下すると、レンズホルダ９
３をケース９４に配置したときに、軸孔９３２とシャフト９４３の間の摩擦が大きくなっ
たり、がたが出たりしてトラッキング動作及びフォーカシング動作の精度が低下する。
【００１６】
特開2003-248944号公報及び特開平10-143888号公報に記載の発明は、フォーカシングコ
イルをレンズホルダに取り付けるときの接着剤の硬化によって発生する応力による軸孔の
精度の低下の問題を解消することができない。
【００１７】
また接着剤を多量に使っているので、レンズホルダ９３の重量が重くなる。上述のとお
りレンズホルダ９３はトラッキング動作及びフォーカシング動作を行う可動部であり、可
動部の重量が増加することでトラッキング動作及びフォーカシング動作を行うときに大き
な駆動力が必要となる。トラッキングコイル９３４及びフォーカシングコイル９３５で大
きな駆動力を発生するためには、永久磁石が発生する磁束密度を上げるか、トラッキング
コイル９３４及びフォーカシングコイル９３５を流れる電流を大きくするか、トラッキン
グコイル９３４及びフォーカシングコイル９３５の巻き数を増やさなくてはならない。い
ずれの場合であっても、製造又は駆動に大きなエネルギを必要とし、製造、運転に必要な
コストも高くなる。
【００１８】
そこで本発明は、レンズホルダにフォーカシングコイルを取り付けるときの接着剤の量
を減らし、シャフトが貫通するための軸孔の真円度等の精度を高く製造することができ、
それだけ、フォーカシング動作及びトラッキング動作の精度を高めることができる光ヘッ
ド及び光ヘッドを用いた光ディスク装置を提供することを目的とする。
【００１９】
また本発明は、レンズホルダにフォーカシングコイルを取り付けるときの接着剤の量を
減らし、レンズホルダの強度を保ちつつ軽量化することができ、それだけ、レンズホルダ
の製造及び動作に必要なエネルギを低減することができる光ヘッド及び光ヘッドを用いた
光ディスク装置を提供することを目的とする。
【課題を解決するための手段】
【００２０】
上記目的を達成するために本発明は、光ディスクを回転させるスピンドルモータと、前
記光ディスクに対してレーザ光を照射する光ヘッドと、信号を処理するための信号処理装
置と、前記光ヘッドにて検出され前記信号処理装置にて復号化された信号を外部の映像表
示部に接続するための外部接続部と、制御部とを備える光ディスク装置であって、前記光
ヘッドは、レーザ光を照射するレーザ光源と、前記レーザ光を反射するミラーと、前記レ
ーザ光を平行光にするコリメータレンズと、前記レーザ光を前記光ディスクに照射するた
めの対物レンズと、前記光ディスクで反射した光を分光するビームスプリッタと、光を受
光し電気信号に変換する受光素子と、前記対物レンズを駆動するアクチュエータとを有し
、前記アクチュエータは前記対物レンズを保持するレンズホルダと、前記レンズホルダを
内部に配置するケースと、前記ケース及び前記レンズホルダに取り付けられ電力を供給す
る配線基板とを有しており、前記ケースは底部と、前記底部の端部より該底部に対して垂
直に突出する立ち上がり部と、前記底部の略中央に前記立ち上がり部と同じ方向に突出す
る円柱状のシャフトと、前記立ち上がり部に前記シャフトを挟んで配置され前記シャフト
との間に磁界を形成する２個の永久磁石とを有しており、前記レンズホルダは、前記対物
レンズを保持するレンズ保持部と、前記レンズ保持部の略中央より突出し断面略矩形の柱
形状のコイル保持部と、前記レンズ保持部及び前記コイル保持部を貫通するとともに前記
シャフトに回動可能且つ摺動可能に外嵌する円筒形状の軸孔と、前記コイル保持部の前記
レンズ保持部と反対側に接着固定される磁性板と、前記軸孔を挟んで対峙し、前記レンズ
保持部の側面に接着固定されるトラッキングコイルと、前記コイル保持部に外嵌して接着
固定されるフォーカシングコイルとを有しており、前記コイル保持部の前記フォーカシン
グコイルが外嵌する４個の角部は切りかかれ、接着剤注入部が形成されており、該接着剤
注入部に接着剤を注入し硬化させることで前記フォーカシングコイルを前記コイル保持部
に固定することを特徴とする光ディスク装置を提供する。
【００２１】
この構成によると、前記レンズホルダのコイル保持部が中実であるので、該レンズホル
ダ単体での重量は増加するが、前記フォーカシングコイルを固定するための接着剤の使用
量を大幅に減少させることができるので、フォーカシングコイルを取り付けた状態では軽
量化が可能である。
【００２２】
前記レンズホルダを軽量化できることで、トラッキング動作及びフォーカシング動作の
ときに、すばやく円滑な動作が可能である。また、動作に必要なエネルギが小さく、換言
すると、前記トラッキングコイル及びフォーカシングコイルに供給する電力が小さくてよ
く、それだけ、省エネルギ化が可能である。さらに、駆動に必要な力が小さくてもよく、
それだけ、前記トラッキングコイル及びフォーカシングコイルとして、より小型のコイル
を採用することができ、それだけ、低コスト化をはかることができる。
【００２３】
また、前記フォーカシングコイルに用いられる接着剤の量が少ないので、硬化するとき
の体積変化が少なく、それだけ、硬化時に発生する応力が小さい。さらに、前記レンズホ
ルダが中実で形成されており、外側面から前記軸孔の内側面までの厚みが大きく、該レン
ズホルダは高い強度を有するので、接着剤が硬化するときに発生する応力によって変形し
にくい。
【００２４】
前記接着剤が硬化するときに発生する応力で前記軸孔が変形しにくいので、該軸孔の真
円度を高めることができる。このことより、前記シャフトと前記軸孔の摩擦特性を適正化
することができ、円滑にトラッキング動作及びフォーカシング動作を行うことができる。
【００２５】
上記目的を達成するために本発明は、光ディスクを回転させるスピンドルモータと、前
記光ディスクに対してレーザ光を照射する光ヘッドと、信号を処理するための信号処理装
置と、前記光ヘッドにて検出され前記信号処理装置にて復号化された信号を外部の映像表
示部に接続するための外部接続部と、制御部とを備える光ディスク装置であって、前記光
ヘッドはレーザ光を照射するレーザ光源と、前記レーザ光を反射するミラーと、前記レー
ザ光を平行光にするコリメータレンズと、前記レーザ光を前記光ディスクに照射するため
の対物レンズと、前記光ディスクで反射した光を分光するビームスプリッタと、光を受光
し電気信号に変換する受光素子と、前記対物レンズを駆動するアクチュエータとを有し、
前記アクチュエータは前記対物レンズを保持するレンズホルダと、前記レンズホルダを内
部に配置するケースと、前記ケース及び前記レンズホルダに取り付けられ電力を供給する
配線基板とを有しており、前記ケースは底部と、前記底部の端部より該底部に対して垂直
に突出する立ち上がり部と、前記底部の略中央に前記立ち上がり部と同じ方向に突出する
円柱状のシャフトと、前記立ち上がり部に前記シャフトを挟んで配置され前記シャフトと
の間に磁界を形成する２個の永久磁石とを有しており、前記レンズホルダは、前記対物レ
ンズを保持するレンズ保持部と、前記レンズ保持部の略中央に形成される矩形状の貫通孔
と該貫通孔を取り囲むように形成される壁面部とを有するコイル保持部と、前記矩形状の
貫通孔及び前記コイル保持部の中央の空間に配置され前記シャフトに回動可能且つ騒動可
能に外嵌することができる円筒形状の軸孔と、前記壁面部の四隅に接続し前記円筒形状の
軸孔と接続することで該軸孔を固定するリブ部と、前記コイル保持部の前記レンズ保持部
と反対側に接着固定される磁性板と、前記レンズ保持部の側面に接着固定されるトラッキ
ングコイルと、前記コイル保持部に外嵌して接着固定されるフォーカシングコイルとを有
しており、前記フォーカシングコイルは前記コイル保持部に外嵌することで該フォーカシ
ングコイルを該コイル保持部に設置固定することを特徴とする光ディスク装置を提供する
。
【００２６】
この構成によると、前記コイル保持部が前記レンズホルダを矩形状に貫通しているので
、レンズホルダ単体で軽量化することができる。また、前記フォーカシングコイルを接着
剤にて接着固定しないので、フォーカシングコイルを取り付けた状態でも軽量化が可能で
ある。
【００２７】
前記レンズホルダを軽量化できることで、トラッキング動作及びフォーカシング動作の
ときに、すばやく円滑な動作が可能である。また、動作に必要なエネルギが小さく、換言
すると、前記トラッキングコイル及びフォーカシングコイルに供給する電力が小さくてよ
く、それだけ、省エネルギ化が可能である。さらに、駆動に必要な力が小さくてもよく、
それだけ、前記トラッキングコイル及びフォーカシングコイルとして、より小型のコイル
を採用することができ、それだけ、低コスト化をはかることができる。
【００２８】
前記レンズホルダは矩形状の貫通孔を備えていなくても良い。このばあい、前記レンズ
保持部より矩形状に連結された前記壁面部と円筒形状の前記軸孔が前記レンズ保持部より
突出するものを例示することができる。
【００２９】
上記目的を達成するために本発明は、底部と、前記底部の端部より該底部に対して垂直
に突出する立ち上がり部と、前記底部の略中央に前記立ち上がり部と同じ方向に突出する
円柱状のシャフトと、前記立ち上がり部に前記シャフトを挟んで配置され前記シャフトと
の間に磁界を形成する２個の永久磁石とを有するケースと、対物レンズを保持するレンズ
保持部と、前記レンズ保持部の略中央より突出し断面略矩形の柱形状のコイル保持部と、
前記コイル保持部の略中央より突出し前記レンズ保持部及び前記コイル保持部を貫通する
とともに前記シャフトに回動可能且つ摺動可能に外嵌する円筒形状の軸孔と、前記コイル
保持部の前記レンズ保持部と反対側に接着固定される磁性板と、前記軸孔を挟んで対峙し
、前記レンズ保持部の側面に接着固定されるトラッキングコイルと、前記コイル保持部に
外嵌して接着固定されるフォーカシングコイルとを有するレンズホルダと、前記ケース及
び前記レンズホルダに取り付けられ、前記トラッキングコイル及び前記フォーカシングコ
イルに電力を供給する配線基板とを有しており、前記コイル保持部の前記フォーカシング
コイルが外嵌する４個の角部は切りかかれ、接着剤注入部が形成されており、該接着剤注
入部に接着剤を注入し硬化させることで前記フォーカシングコイルを前記コイル保持部に
固定することを特徴とする光ヘッドを提供する。
【００３０】
この構成によると、前記レンズホルダのコイル保持部が中実であるので、該レンズホル
ダ単体での重量は増加するが、前記フォーカシングコイルを固定するための接着剤の使用
量を大幅に減少させることができるので、フォーカシングコイルを取り付けた状態での軽
量化が可能である。
【００３１】
前記レンズホルダを軽量化できることで、トラッキング動作及びフォーカシング動作の
ときに、すばやく円滑な動作が可能である。また、動作に必要なエネルギが小さく、換言
すると、前記トラッキングコイル及びフォーカシングコイルに供給する電力が小さくてよ
く、それだけ、省エネルギ化が可能である。さらに、駆動に必要な力が小さくてもよく、
それだけ、前記トラッキングコイル及びフォーカシングコイルとして、より小型のコイル
を採用することができ、それだけ、低コスト化をはかることができる。
【００３２】
また、前記フォーカシングコイルに用いられる接着剤の量が少ないので、硬化するとき
の体積変化が少なく、それだけ、硬化時に発生する応力が小さい。さらに、前記レンズホ
ルダが中実で形成されており、外側面から前記軸孔の内側面までの厚みが大きく、該レン
ズホルダは高い強度を有するので、接着剤が硬化するときに発生する応力によって変形し
にくい。
【００３３】
前記接着剤が硬化するときに発生する応力で前記軸孔が変形しにくいので、該軸孔の真
円度を高めることができる。このことより、前記シャフトと前記軸孔の摩擦特性を適正化
することができ、トラッキング動作及びフォーカシング動作を円滑に行うことができる。
【００３４】
上記目的を達成するために本発明は、底部と、前記底部の端部より該底部に対して垂直
に突出する立ち上がり部と、前記底部の略中央に前記立ち上がり部と同じ方向に突出する
円柱状のシャフトと、前記立ち上がり部に前記シャフトを挟んで配置され前記シャフトと
の間に磁界を形成する２個の永久磁石とを有するケースと、対物レンズを保持するレンズ
保持部と、前記レンズ保持部の略中央に形成される矩形状の貫通孔と該貫通孔を取り囲む
ように形成される壁面部とを有するコイル保持部と、前記矩形状の貫通孔及び前記コイル
保持部の中央の空間に配置され前記シャフトに回動可能且つ騒動可能に外嵌することがで
きる円筒形状の軸孔と、前記壁面部の四隅に接続し前記円筒形状の軸孔と接続することで
該軸孔を固定するリブ部と、前記コイル保持部の前記レンズ保持部と反対側に接着固定さ
れる磁性板と、前記レンズ保持部の側面に接着固定されるトラッキングコイルと、前記コ
イル保持部に外嵌して接着固定されるフォーカシングコイルとを有するレンズホルダと、
前記ケース及び前記レンズホルダに取り付けられ、前記トラッキングコイル及び前記フォ
ーカシングコイルに電力を供給する配線基板とを有しており、前記フォーカシングコイル
を前記コイル保持部に外嵌することで該フォーカシングコイルを該コイル保持部に設置固
定することを特徴とする光ヘッドを特徴とする。
【００３５】
この構成によると、前記コイル保持部が前記レンズホルダを矩形状に貫通しているので
、レンズホルダ自体軽量化することができる。また、前記フォーカシングコイルを接着剤
にて接着固定しないので、フォーカシングコイルを取り付けた状態でも軽量化が可能であ
る。
【００３６】
前記レンズホルダを軽量化できるので、トラッキング動作及びフォーカシング動作のと
きに、すばやく円滑な動作が可能である。また、動作に必要なエネルギが小さく、換言す
ると、前記トラッキングコイル及びフォーカシングコイルに供給する電力が小さくてよく
、それだけ、省エネルギ化が可能である。さらに、駆動に必要な力が小さくてもよく、そ
れだけ、前記トラッキングコイル及びフォーカシングコイルとして、より小型のコイルを
採用することができ、それだけ、低コスト化をはかることができる。
【００３７】
前記レンズホルダは矩形状の貫通孔を備えていなくても良い。この場合、前記レンズ保
持部より矩形状に連結された前記壁面部と円筒形状の前記軸孔が前記レンズ保持部より突
出するものを例示することができる。
【発明の効果】
【００３８】
本発明によると、レンズホルダにフォーカシングコイルを取り付けるときの接着剤の量
を減らし、シャフトが貫通するための軸孔の真円度等の精度を高く製造することができ、
それだけ、フォーカシング動作及びトラッキング動作の精度を高めることができる光ヘッ
ド及び光ヘッドを用いた光ディスク装置を提供することができる。
【００３９】
また本発明によると、レンズホルダにフォーカシングコイルを取り付けるときの接着剤
の量を減らし、レンズホルダの強度を保ちつつ軽量化することができ、それだけ、レンズ
ホルダの製造及び動作に必要なエネルギを低減することができる光ヘッド及び光ヘッドを
用いた光ディスク装置を提供することができる。
【発明を実施するための最良の形態】
【００４０】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは、光ディスク（ＤＶＤ記録媒体）
Ｄｓを回転させるスピンドルモータＳｐと、光ディスクＤｓに光を照射し情報を読出す光
ヘッドＡと、光ヘッドＡで検出された信号を復号化するデコーダＤｃと、外部の表示装置
であるモニタＭｎに接続するための外部接続部Ｏｃと、制御部Ｃｏｎｔとを備えている。
【００４１】
ＤＶＤプレーヤＰＬは制御部Ｃｏｎｔによって制御されており、使用者よりＤＶＤを再
生する命令がなされると、まず、スピンドルモータＳｐを駆動し光ディスクＤｓを回転さ
せる。光ヘッドＡより回動している光ディスクＤｓにレーザ光を照射し、その反射光を光
ヘッドＡで検出する。光ヘッドＡに備えられた後述の受光素子Ｐｄは検出した光を電気信
号に変換するものであり、電気信号はデコーダＤｃに送られ映像用の信号に復調され、外
部接続部Ｏｃを介してモニタＭｎに送られ、モニタＭｎに映像を表示する。
【００４２】
図２に光ヘッドの一例の配置図を示す。図２に示す光ヘッドＡは、従来と実質上同一の
構造を有している。すなわち、レーザ光源Ｌｄと、ミラーＭｒと、コリメータレンズ３と
、対物レンズ４と、ビームスプリッタＢｓと、受光素子Ｐｄとを有している。レーザ光源
Ｌｄより照射されたレーザ光はミラーＭｒで反射され、コリメータレンズ３に入射し、平
行光に変化してコリメータレンズ３より出射する。コリメータレンズ３より出射したレー
ザ光は対物レンズ４に入射し対物レンズ４より光ディスクＤｓに照射される。
【００４３】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。上述の各部材へのレーザ光の照射順序は
これに限定されるものではなく、可能な範囲で順序が入れ替わっているものであっても良
い。
【００４４】
図３に本発明に係る光ヘッドの平面図を、図４に図３に示す光ヘッドの側面図を示す。
図３、図４に示すように光ヘッドＡはコリメータレンズ３を支持するベース１と、対物レ
ンズ４を駆動するためのアクチュエータ２とを備えている。ベース１の側面には光ヘッド
Ａのディスクトラック方向（ディスク半径方向）への動作を規制するための軸１０が摺動
可能に貫通する摺動孔１１と、摺動孔１１に隣接して形成されるラックギア１２と、ラッ
クギア１２と歯合するピニオンギア１３とを備えている。光ヘッドＡはピニオンギア１３
の回動をラックギア１２に伝達することで、摺動するものである。光ヘッドＡを摺動する
ことで、光ディスクＤｓの記録面上の必要な情報が記録されている部分にレーザスポット
を速やかに照射するものである。
【００４５】
アクチュエータ２はベース１にボルト留めにて固定される。アクチュエータ２は、対物
レンズ４を保持するためのレンズホルダ２１と、内部にレンズホルダ２１を配置するケー
ス２２と、レンズホルダ２１に設けられた後述するトラッキングコイル２１３及びフォー
カシングコイル２１４にそれぞれ独立して電力を供給する配線基板２３とを有している。
【００４６】
ケース２２は平面視矩形状を有しており、底部２２１と、底部２２１の周囲から底部２
２１と垂直に立ち上がる立ち上がり部２２２と、底部２２１の略中央部に立ち上がり部２
２２と同じ方向に突出する円筒形状のシャフト２２３と、立ち上がり部２２２に配置され
、シャフト２２３を挟んで対向して配置される２個の永久磁石２２４とを有している。シ
ャフト２２３は磁性体で形成されており、永久磁石２２４とシャフト２２３の間には磁界
が形成されている。永久磁石２２４の磁界はそれには限定されないが、いずれの磁界も磁
力線の向きが永久磁石２２４からシャフト２２３に向かっている。底部２２１にはレーザ
光が通過するための貫通した光通過孔２２０が形成されている。
【００４７】
図５に図３に示す光ヘッドに用いられるレンズホルダの側面図を、図６に図５に示すレ
ンズホルダの底面図を、図７に図５に示すレンズホルダのフォーカシングコイルが取り付
けられていない状態の側面図を示す。図５に示すレンズホルダ２１は、対物レンズ４を保
持するためのレンズ保持部２１１と、レンズ保持部２１１の略中央に形成され、後述する
フォーカシングコイル２１３が外嵌する平面視略矩形状のコイル保持部２１５と、コイル
保持部２１５の略中心部に形成されシャフト２２３と摺動可能且つ回動可能に外嵌する軸
孔２１２と、レンズ保持部２１１の側面に軸孔２１２を挟んで対面して配置されるトラッ
キングコイル２１３と、軸孔２１２を取り囲むように配置されるフォーカシングコイル２
１４と、フォーカシングコイル２１４の下面に軸孔２１２の中心軸と直行するように配置
される磁性板２１６とを有している。
【００４８】
軸孔２１２はシャフト２２３を外嵌するように配置される。このとき、ケース２２の永
久磁石２２４とシャフト２２３の間には磁界が発生しており、その磁界に磁性板２１６が
配置されることで磁性板２１６に磁気力が付与する。この磁気力によってレンズホルダ２
１は底部２２１と接触することなく浮上した状態で支持される。
【００４９】
トラッキングコイル２１３及びフォーカシングコイル２１４には配線基板２３より電力
が供給される。配線基板２３はケース２２に取り付けられるメイン基板２３１と、レンズ
ホルダ２１に取り付けられるサブ基板２３２と、メイン基板２３１とサブ基板２３２を接
続するための接続基板２３３とを有している。配線基板２３（少なくとも接続基板２３３
）はレンズホルダ２１のトラッキング動作及びフォーカシング動作によって破損しないよ
うな柔軟性を有するもの、例えばＦＦＣ（Flexible Flat Cable）、ＦＰＣ（Flexible Pr
inted Circuit）等のケーブルが採用されている。
【００５０】
レンズホルダ２１のコイル保持部２１５は四隅が切り欠かれて、接着剤注入部２１７が
形成されている。予め導線を矩形状に巻いて形成されたフォーカシングコイル２１４をレ
ンズホルダ２１のコイル保持部２１５に外嵌し、接着剤注入部２１７に接着剤を注入する
ことでコイル保持部２１５にフォーカシングコイル２１４を接着固定する。ここで、コイ
ル保持部２１５の外周部と軸孔２１２との間は十分な厚みがあるので、接着剤が硬化する
ときに発生する応力による軸孔２１２の変形を抑制することができる。従来の光ヘッドに
比べると、コイル保持部２１５を設けるので、レンズホルダ２１自体の重量は増加するが
、接着剤の注入量が大幅に減少するので、レンズホルダ２１にフォーカシングコイル２１
４を取り付けた状態では軽量化される。
【００５１】
図５に示すようにトラッキングコイル２１４は導線が矩形状にまかれたコイルであり、
レンズホルダ２１の側面に軸孔２１２の中心軸と平行な方向に延びる導線がシャフト２２
３と永久磁石２２４の間に発生する磁界内に入るように形成されている。また、フォーカ
シングコイル２１４は導線が矩形状に巻かれたコイルであり導線の側面が磁界内に入るよ
うに且つ軸孔２１２の中心軸を取り囲むように配置されている。
【００５２】
トラッキングコイル２１３の導線に電流が流されることで、磁界内に配置された導線に
磁束方向及び電流の流れる方向の両方に直交する方向、すなわち、軸孔２１２の周方向に
ローレンツ力が発生する。軸孔２１２を挟んで配置されたトラッキングコイル２１３で電
流の流れ方向を調整し、ローレンツ力の方向を調整することで、レンズホルダ２１をシャ
フト２２３を中心に回転させることができる。すなわち、電流の流れ方向を適当に変化さ
せることで対物レンズ４をシャフト２２３を中心に揺動させることができる。この揺動に
よって、対物レンズ４の焦点位置を光ディスクＤｓの記録面にそって動かし正しい位置に
レーザスポットを照射するトラッキング動作を行うことができる。
【００５３】
フォーカシングコイル２１４も同様に磁界内に配置された導線に電流が流されることで
、導線に磁束方向及び電流の流れる方向の両方に直交する方向、すなわち、軸孔２１２の
軸方向にローレンツ力が発生する。ローレンツ力によってレンズホルダ２１はシャフト２
２３の軸方向に摺動する。電流の向きを適当に変化させることで、レンズホルダ２１をシ
ャフト２２３の軸方向に往復摺動させることができ、光ディスクＤｓの記録面に焦点を合
わせるためのフォーカシング動作を行うことができる。
【００５４】
図８に図３に示す光ヘッドに用いるレンズホルダの他の例の底面図を、図９に図８に示
すレンズホルダの側面図示す。図８に示すレンズホルダ２１ｂはコイル保持部２１８及び
軸孔２１９が異なる以外は図５に示すレンズホルダ２１と同じ構造を有しており、実質上
同一の部分には同一の符号が付してある。図８、図９に示すレンズホルダ２１ｂのコイル
保持部２１８はレンズ保持部２１１の略中央に矩形の貫通孔２１８１と、貫通孔２１８１
を取り囲むように形成される壁面部２１８２を有している。貫通孔２１８１の内周面と壁
面部２１８２の内周面は段差がつかないように形成されている。
【００５５】
また、壁面部２１８２にて囲まれる空間の中央部にケース２２のシャフト２２３に摺動
可能且つ回動可能に外嵌する軸孔２１９が形成されている。壁面部２１８の内側には四隅
にリブ部２１９１が配置されており、リブ部２１９１にて軸孔２１９が強固に保持されて
いる。リブ部２１９１は、四隅に配置されるものを例示しているが、それに限定されるも
のではなく、軸方向に複数個のリブ部を有するもの等、軸孔２１９を強固に保持すること
ができるものを広く採用することができる。また、レンズ保持部２１１の略中央に軸孔２
１９だけが貫通するもの（矩形状の貫通孔を備えないもの）であっても良い。この場合、
軸孔２１９を保持するリブ部２１９１を小型化又は省略することができるので、より構造
を簡単にすることができる。
【００５６】
レンズホルダ２１ｂにフォーカシングコイル２１４を取り付ける場合、予め導線を矩形
状に巻いて形成されたフォーカシングコイル２１４をレンズホルダ２１のコイル保持部２
１５に外嵌することで取り付けられる。コイル保持部２１８が矩形状を有しているので、
接着剤を用いることなくフォーカシングコイル２１４をコイル保持部２１８に固定するこ
とが可能である。接着剤が硬化する時に発生する応力によって軸孔２１９が変形したり、
接着剤分の重量が増加したりするのを防ぐことができる。
【００５７】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【産業上の利用可能性】
【００５８】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５９】
【図１】本発明にかかる光ディスク装置の配置図である。
【図２】光ヘッドの一例の配置図である。
【図３】本発明に係る光ヘッドの平面図である。
【図４】図３に示す光ヘッドの側面図である。
【図５】図３に示す光ヘッドに用いられるレンズホルダの側面図である。
【図６】図５に示すレンズホルダの底面図である。
【図７】図５に示すレンズホルダのフォーカシングコイルが取り付けられていない状態の側面図である。
【図８】図３に示す光ヘッドに用いるレンズホルダの他の例の底面図である。
【図９】図８に示すレンズホルダの側面図である。
【図１０】従来の光ヘッドのアクチュエータの一例の平面図である。
【図１１】図１０に示すレンズホルダの底面図である。
【符号の説明】
【００６０】
Ｄｓ  光ディスク
Ｍｒ  ミラー
Ｂｓ  ビームスプリッタ
Ｌｄ  レーザ光源
Ｐｄ  受光部
１  ベース
２  アクチュエータ
２１  レンズホルダ
２１１  レンズ保持部
２１２  軸孔
２１３  トラッキングコイル
２１４  フォーカシングコイル
２１５  コイル保持部
２１６  磁性板
２２  ケース
２２１  底部
２２２  立ち上がり部
２２３  シャフト
２２４  永久磁石
２３  配線基板
２３１  メイン基板
２３２  サブ基板
２３３  接続基板
３  コリメータレンズ
４  対物レンズ
【図１】
2006172552.tif 000003
【図２】
2006172552.tif 000004
【図３】
2006172552.tif 000005
【図４】
2006172552.tif 000006
【図５】
2006172552.tif 000007
【図６】
2006172552.tif 000008
【図７】
2006172552.tif 000009
【図８】
2006172552.tif 000010
【図９】
2006172552.tif 000011
【図１０】
2006172552.tif 000012
【図１１】
2006172552.tif 000013